(57)【要約】      （修正有）                                                              【課題】野菜等の球状の種の、１個又は複数個を、任意の位置に自動で蒔く道具を提供する。【解決手段】種蒔き溝成形ドラム７及び溝成形部７Ａと, 種挿入ドラム回転歯車１及び種挿入ドラム２と,種蒔き溝埋め成形ドラム８及び溝埋め成形部８Ａと、側板６と、種投入シューター５とから成る、自動種蒔き器により、種蒔き溝が成形され、任意の位置に種が溝に蒔かれ、種が蒔かれた溝は埋められる、又種は種投入シュ−タ−により自動投入される、これらを連結して走行する事により、種蒔き溝成形・種蒔き・種蒔き溝埋め成形・種供給を連続的に行う。【選択図】図１
0003162465.tif 000002
【実用新案登録請求の範囲】
【請求項１】
種蒔き溝成形ドラム（７）及び溝成形部（７Ａ）と、種挿入ドラム回転歯車（１）及び種挿入ドラム（２）と、種蒔き溝埋め成形ドラム（８）・溝埋め成形部（８Ａ）と、側板（６）と、種投入シュ−タ−（５）とから成り、種蒔き溝成形ドラム（７）は所定巾を有する円径ドラム外周面に溝成形部（７Ａ）を備えて成り、種挿入ドラム（２）は所定巾を有する円径ドラムの外周面に所定間隔おきに１個又は複数個の種が入る種挿入穴（９）を備えて成り、種蒔き溝埋め成形ドラム（８）は所定巾を有する円径ドラムの外周面に溝埋め成形部（８Ａ）を備えて成る。                    前記側板（６）に於ける進行方向（Ｎ）の前方に種蒔き溝成形ドラム（７）を回動自在に配設し、側板（６）に於ける進行方向（Ｎ）後方に、種蒔き溝埋め成形ドラム（８）を回動自在に配設し,前記側板（６）に於ける種蒔き成形ドラム（７）と種蒔き溝埋め成形ドラム（８）との所定中間位置に、種挿入ドラム回転歯車（１）及び種挿入ドラム（２）を回動自在に配設し、前記種挿入ドラム（２）の種挿入穴（９）に種を挿入する為の種投入シュ−タ−（５）が、前記側板（６）の所定箇所に備えられている事を、特徴とする自動種蒔き器。
【考案の詳細な説明】
【技術分野】
【０００１】
野菜等の球状の種を、１個又は複数個を、任意の位置に自動で蒔く道具に関する事。  
【背景技術】
【０００２】
従来の種蒔き方法は、種を指先で摘み、揉みながら種を蒔いて行く方法の為に、種が重なり及び連なる（図４）（Ｆ−１）。
【０００３】
密集した発芽状態になり（図４）（Ｆ−２）， 生育条件悪くなる。          
【０００４】
生育条件を良くする為に，間引き作業が行われる（図４）（Ｆ−３）。  
【０００５】
種の無駄蒔き及び間引き作業の手間が発生する。
【先行技術文献】
【特許文献】
【０００６】
【特許文献１】特開２００１−０６９８１５
【考案の概要】
【考案が解決しようとする課題】
【０００７】
従来の種蒔き方法では，（図４）（Ｆ−１）の如く、種が重ねり及び連なり，（図４）（Ｆ−２）の如く発芽状態が密集してしまう欠点があり，生育条件を良くする為に、（図４）（Ｆ−３）の如く、間引き作業を施す必要がある。
【０００８】
そこで本考案は、現在の問題点を解決する為に、種を任意の個数を任意の位置に自動で蒔き（図４）（Ｇ−１）、発芽状態を改善して（図４）（Ｇ−２）、生育条件の良い状態に（図４）（Ｇ−３）、種を蒔く方法を提供する事を課題とする。  
【課題を解決するための手段】
【０００９】
種蒔き溝成形ドラム（７）及び溝成形部（７Ａ）・種挿入ドラム回転歯車（１）及び種挿入ドラム（２）・種蒔き溝埋め成形ドラム（８）及び溝埋め成形部（８Ａ）・側板（６）・種投入シュ−タ−（５）とから成り、 種蒔き溝成形ドラム（７）は、所定巾を有する円径ドラムの外周面に、溝成形部（７Ａ）を備えて成り、種挿入ドラム（２）は、所定巾を有する円径ドラムの外周面に、所定間隔おきに１個又は複数個の種が入る種挿入穴（９）を備えて成り、種蒔き溝埋め成形ドラム（８）は所定巾を有する円径ドラムの外周面に、溝埋め成形部（８Ａ）を備えて成り、前記側板（６）に於ける進行方向（Ｎ）前方に、種蒔き溝成形ドラム（７）を回動自在に配設し、前記側板（６）に於ける進行方向（Ｎ）後方に、種蒔き溝埋め成形ドラム（８）を回動自在に配設し、前記側板（６）に於ける種蒔き溝成形ドラム（７）と、種蒔き溝埋め成形ドラム（８）との所定中間位置に、種挿入ドラム（２）を回動自在に配設し、前記種挿入ドラム（２）の種挿入穴（９）に、種を挿入する為の種投入シュ−タ−（５）が、前記側板（６）の所定箇所に備えられている事を特徴とする、自動種蒔き器。
【考案の効果】
【００１０】
自動種蒔き器によって、種は（図４）（Ｇ−１）の如く蒔かれ、（図４）（Ｇ−２）如く発芽の状態になり、（図４）（Ｇ−３）の生育条件が良い為に、間引きの作業を施さなくても良い。
【００１１】
従来の種蒔き方法に対して、種の蒔き無駄が減少する、又間引き作業を施さない為に、作業能率が向上する。
【００１２】
自動種蒔き器は、種蒔き溝成形・種蒔き・種蒔き溝埋め成形の作業を一連で   同時に行う為に、作業能率が向上する。
【図面の簡単な説明】
【００１３】
【図１】自動種蒔き器を示した  全体図である。
【図２】自動種蒔き器を示した  分解図である。
【図３】自動種蒔き器を示した  作用説明図である。
【図４】現状・改善の比較を示した  比較図である。
【図５】種蒔き方法の変更を示した  各部変更図である。
【図６】溝埋め成形部を外した  変更図である。
【図７】ベルト連結駆動を示した  連結図である。
【図８】ベルト・エンジン連結を示した  強制回転図である。
【考案を実施するための形態】
【００１４】
以下、本考案の実施形態を、作用説明図（図３）に基づいて説明をする。
【００１５】
種を種投入シュ−タ−（６）上にセットする（Ｒ）、畝（Ｂ−１）に自動種蒔き器を矢印方向（Ｍ）から置く、矢印方向（Ｎ）に自動蒔き器を押さえながら動かす。
【００１６】
種蒔き溝成形ドラム（７）及び溝成形部（７Ａ）・種挿入ドラム回転歯車（１）及び種挿入ドラム（２）・種蒔き溝埋め成形ドラム（８）及び溝埋め成形部（８Ａ）が同時に同方向（Ｏ）に回転する。
【００１７】
畝に溝成形部（７Ａ）の形状（Ｂ−２）が回転して転写（Ｂ−３）する。  
【００１８】
種挿入ドラム（２）から（Ｑ）の位置で種が溝に落下する。
【００１９】
溝埋め成形部（８Ａ）が種蒔き溝（Ｄ−１）を押し潰し（Ｄ−２），矢印方向（Ｏ）に回転する。種蒔き溝は押し潰されて、種蒔き溝は（Ｄ−３）状態になり、種蒔きは終了する。
【００２０】
種は種投入シュ−タ−上を矢印（Ｐ）方向に常時押し流され、種投入ドラム（２）が回転中に種挿入穴（９）に種が挿入する。
【００２１】
自動種蒔き器を矢印方向に（Ｎ）に押し続ける事により、上記の動作が同時に連続的に行われ、種蒔き作業が行われる。  
【００２２】
種蒔き溝成形ドラム（７）の溝成形部（７Ａ）と種挿入ドラム（２）と種蒔き溝埋め成形ドラム（８）の溝埋め成形部（８Ａ）の形状を変更（図５）する事により  種蒔き方法が変更できる。
【００２３】
種挿入穴（９）の形状を変更する事により、種の挿入数を１個又は複数個に変更できる。  
【００２４】
自動種蒔き器は手で操作できる様に、樹脂系の材料を使用して軽量化する。  
【００２５】
種蒔き溝埋め成形ドラム（８）の溝埋め成形部（８Ａ）を外す事（図６）により、種蒔き状態が確認出来る。
【００２６】
種蒔き溝成形ドラム（７）と種挿入ドラム（２）と種蒔き溝埋め成形ドラム
（８）の回転を確実に行う為にベルトで連結する（図７）。
【００２７】
種蒔き溝成形ドラム（７）と、種挿入ドラム（２）と、種蒔き溝成形ドラム（８）の回転を確実に行う為に、ベルトで連結してエンジンで強制回転して自走させる（図８）。
【符号の説明】
【００２８】
１   種挿入ドラム回転歯車。
２   種挿入ドラム。
３   連結軸。
４   固定ネジ。
５   種投入シュ−タ−。
６   側板。
７   種蒔き溝成形ドラム。
７Ａ  溝成形部。
８   種蒔き溝埋め成形ドラム。
８Ａ  溝埋め成形部。
９   種挿入穴。
【００２９】
Ａ−１  自動種蒔き器            上面図。
Ａ−２  種挿入ドラム            断面図（ＢＢ−ＢＢ）。
Ａ−３  種蒔き溝成形ドラム      側面図。
Ａ−４  自動種蒔き器            断面図（ＡＡ−ＡＡ）。
Ａ−５  種蒔き溝埋め成形ドラム  側面図。
Ｂ−１  畝。
Ｂ−２  種蒔き溝成形中。
Ｂ−３  種蒔き溝成形完了。
Ｃ−１  溝に種が落下。
Ｄ−１  種蒔き溝埋め成形前。
Ｄ−２  種蒔き溝埋め成形中。
Ｄ−３  種蒔き溝埋め終了。
Ｆ−１  種を手蒔きした状態。
Ｆ−２  発芽状態。
Ｆ−３  間引きをした状態。
Ｇ−１  種を自動蒔きした状態。
Ｇ−２  発芽状態。
Ｇ−３  生育条件の良い状態。
Ｅ−１  １条蒔きの時の状態。
Ｅ−２  ２条千鳥蒔きの状態。
Ｅ−３  ３条蒔きの状態。
【図１】
0003162465.tif 000003
【図２】
0003162465.tif 000004
【図３】
0003162465.tif 000005
【図４】
0003162465.tif 000006
【図５】
0003162465.tif 000007
【図６】
0003162465.tif 000008
【図７】
0003162465.tif 000009
【図８】
0003162465.tif 000010